(57)【要約】【課題】  この発明は、ろ布の下縁部に貼着剤を塗布するシール止に、柔軟性と屈曲性を維持させるろ布走行型フイルタープレス用ろ布を提供する。【解決手段】  ろ布２に貼着剤を含浸塗布するろ布走行型フイルタープレスにおいて、ろ布２の下縁部２ｂに含浸塗布する貼着剤を、目止め１７のない筋状部１８を形成したストライプ構造１９とするもので、目止め１７の幅を短くすることにより、ろ布２の下縁部２ｂの柔軟性と屈曲性を増加させ、目止め１７を施した下縁部２ｂがリターンロール１２を通過する時に生じるろ布走行負荷を低減し、負荷検知が安定して行える。ろ布２が収縮してもシール効果と屈曲性を維持できる。【選択図】      図３
2011136318.tif 000002
【特許請求の範囲】
【請求項１】
開閉自在に並列したろ板（１，１）間に一対のろ布（２，２）を昇降自在に吊設し、ろ板（１，１）の周縁部に当接する部位のろ布（２，２）に貼着剤を塗布するフイルタープレスにおいて、ろ布（２，２）の下縁部（２ｂ，２ｂ）に含浸塗布する貼着剤を、目止め（１７，２１）のない筋状部（１８，２０）を形成してストライプ構造（１９，１９ａ，２２）としたことを特徴とするろ布走行型フイルタープレス用ろ布。
【請求項２】
上記ろ板（１，１）間の一対のろ布（２，２）をろ板（１）上方の駆動輪（７）と、ろ板（１）下方のリターンロール（１２）に昇降自在に吊設し、ろ布（２）の下縁部（２ｂ）の目止め（１７）のない筋状部（１８）を、ろ板（１）の側縁部の外方まで延設して側端部を開放したことを特徴とする請求項１に記載のろ布走行型フイルタープレス用ろ布。
【請求項３】
上記ろ布（２）の目止め（１７）のない筋状部（２０）を、ろ板（１）の側縁部まで延設してろ布（２）に筋枠状の目止め（２１）を形成してストライプ構造（２２）としたことを特徴とする請求項１又は２に記載のろ布走行型フイルタープレス用ろ布。
【発明の詳細な説明】
【技術分野】
【０００１】
この発明は、上水汚泥、下水汚泥、または、産業排水汚泥等を処理するフイルタープレスのろ布に関し、特に、ろ布とろ板間のシール性を向上させるために、ろ布の周縁部に貼着剤を塗布するろ布走行型フイルタープレス用ろ布の改良に関する。
【背景技術】
【０００２】
従来、汚泥を処理する場合、ケーキ含水率を低下させ、ろ過処理能力を向上させるろ過機が要望されており、フイルタープレスは大容量の汚泥処理が可能であり、ケーキの含水率を低下させることができる。フイルタープレスは、ろ過サイクル時間を短縮するために、ろ板間に吊設するろ布を走行させてケーキの排出時間を短縮している。フイルタープレスは高圧搾が可能であるが、ケーキ含水率を低下させるために高圧搾をすると、ろ布とろ板間のシール性が低下する。
例えば、リンクアームにスプリングを介して吊設したろ布に、ろ板の額縁部に相当する位置に伸長性の小さい当て布を固着して、ろ布の伸長防止と、ろ布とろ板間のシール性を向上させたフイルタープレスのろ布が、特許文献１に開示してある。  
そして、ろ板枠部間からのろ液の漏出防止やろ布の破損防止の対策として、ろ布のろ板枠部に当接する部位に合成樹脂接着剤を塗工・含浸させ、或は、樹脂フイルムを接着や縫着で固定する従来技術が、特許文献２に開示してある。  
また、ろ板間の一対のろ布の上縁部を合着して上部ろ布芯金を挿通し、駆動輪に掛け回した駆動帯に上部ろ布芯金を止着して、ろ布の一方のろ布と隣接するろ布の下縁部に設けた下部ろ布芯金を駆動輪に掛け回した駆動帯に止着したろ布走行型フイルタープレスを、特許文献３において、本願発明の出願人が提案している。
【先行技術文献】
【特許文献】
【０００３】
【特許文献１】実開昭５６−１７６００８号公報（実用新案登録請求の範囲、図２及び図４）
【特許文献２】特開２０００−１４０５１６号公報（段落番号０００９）
【特許文献３】実公平８―９６３号公報（請求項１及び段落番号０００８、図４及び図５）
【発明の概要】
【発明が解決しようとする課題】
【０００４】
従来のリンクアームにスプリングを介して吊設したろ布の特許文献１は、開板したろ板間のろ布を振動させてケーキを剥離するもので、ろ布の額縁部に固着した当て布はろ布の伸長を抑制して、ろ布とろ板の間のシ−ル性も向上させることが出来る。
また、ろ板の表裏のろ布を給液口の円筒状結合布で縫着する特許文献２の従来技術は、周部に合成樹脂接着剤を塗工・含浸させたろ布について、ろ板枠部からのろ液の漏出防止と破損防止が可能となる。ろ布のろ板枠部に接当する部位に合成樹脂接着剤を塗工・含浸させれば、フイルタープレスは高圧搾においてもろ板間のシール性が向上するが、合成樹脂接着剤を含浸させる目止め部分のろ布が硬化して柔軟性と屈曲性を低下させる。
図８は下縁部に目止めを施したろ布を、リターンロールに掛け回した時の概念図であって、特許文献３のろ布走行型フイルタープレスは、ろ布２、２間のケーキの排出時、或はろ布２の洗浄時に、昇降させるろ布２の下縁部がリターンロール１２を通過する時に、ろ布２の下縁部２ｂの目止め１６部分が硬化して、屈曲性が低下し、ろ布走行負荷を増加させる。特に、フイルタープレスが大型化すると、リターンロール１２の外径が大きくなり、ろ布２の目止め１６部分の幅も広くなる。リターンロール１２を通過したろ布２の下縁部の目止め１６部分が屈曲状態で昇降するため、リターンロール１２の前後でろ布２が広がり、特許文献３に示すろ布２の上縁部の上部ろ布芯金と下縁部の下部ろ布芯金が交差摺接して、ろ布芯金の曲折やろ布２の破損の恐れがある。
この発明は、貼着剤を含浸塗布して柔軟性と屈曲性が低下するろ布下縁部のシール止を工夫して、ろ布の柔軟性を維持させるろ布走行型フイルタープレス用ろ布を提供することを目的とする。
【課題を解決するための手段】
【０００５】
この発明のろ布走行型フイルタープレス用ろ布の要旨は、開閉自在に並列したろ板間に一対のろ布を昇降自在に吊設し、ろ板の周縁部に当接する部位のろ布に貼着剤を塗布するフイルタープレスにおいて、ろ布の下縁部に含浸塗布する貼着剤を、目止めのない筋状部を形成してストライプ構造としたもので、ろ布の下縁部に目止め幅の短い目止めを複数本設けることにより、ろ布の柔軟性と屈曲性が増加する。ろ布が収縮してもシール効果を維持できる。
【０００６】
ろ板間に昇降自在に吊設するろ布は、ろ板上方の駆動輪とろ板下方のリターンロールに昇降自在に吊設し、ろ布の下縁部の目止めのない筋状部を、ろ板の側縁部の外方まで延設して側端部を開放したもので、目止めを施した下縁部がリターンロールを通過する時にろ布の柔軟性と屈曲性を発揮して、ろ布走行負荷が低減できる。ろ布の上縁部と、ろ布の下縁部が交差する時に、柔軟性を発揮してろ布の損傷を防止しながら円滑にろ布走行が行える。
また、ろ布の下縁部の目止めのない筋状部を、ろ板の側縁部まで延設してろ布に筋枠状の目止めを形成してストライプ構造としてもよいものである。
【発明の効果】
【０００７】
この発明に係るろ布走行型フイルタープレス用ろ布は上記のように構成してあり、ろ布の下縁部に塗布する貼着剤を目止めのない筋状部を形成してストライプ構造の目止めとしたので、ろ布の柔軟性と屈曲性を増加して円滑にろ布走行が行える。ケーキ排出時のろ布走行負荷の上昇を軽減でき、負荷検知も安定して行える。
【図面の簡単な説明】
【０００８】
【図１】この発明に係るろ布走行型フイルタープレス用ろ布の吊設装置の側面図である。
【図２】同じく、駆動チエーンの下端部にろ布下縁部の下部ろ布芯金を係止する吊設装置の要部側面図である。
【図３】同じく、周縁部に合成樹脂剤を塗布して目止めを施したろ布の正面図である。
【図４】同じく、ろ布の表裏面に目止めを施したろ布の側面図である。
【図５】同じく、ろ布の下縁部にストライプ構造を施した他の実施例の要部側面図である。
【図６】同じく、ろ布の下縁部にストライプ構造の目止めを施した他の実施例の要部側面図である。
【図７】同じく、リターンロールに掛け回したろ布下縁部の要部拡大図である。
【図８】下縁部の目止めをストライプ構造としないろ布を、リターンロールに掛け回した時の概念図である。
【発明を実施するための形態】
【０００９】
この発明に係るろ布走行型フイルタープレス用ろ布を図面に基づき詳述すると、図１はろ布走行型フイルタープレスに係るろ布の吊設装置の側面図であって、多数並列したろ板１・・・間に一対のろ布２，２を吊設し、ろ布２，２の上部に給液板３を挟持して合着し、ろ布２，２の上縁部２ａに上部ろ布芯金４を挿通してある。上部ろ布芯金４の両端部に駆動チエーン５，５を連結し、ろ板１の両側肩部に立設したブラケット６，６の駆動輪７，７に巻き掛けて、ろ板１の裏面に駆動チエーン５，５を垂下してある。
図２に示すように、駆動輪７に巻き掛けて垂下した駆動チエーン５の下端にターンバックル８を介してジョイントリンク９を連結し、回動自在なジョイントリンク９に吊金具１０を止着してある。
図１に示すように、ろ板１の両側下端から垂下したブラケット１１，１１に一対のリターンロール１２，１２を支架し、ろ板１の前後に吊設したろ布２，２の下部をリターンロール１２，１２にそれぞれ掛け回してある。
リターンロール１２，１２に掛け回したろ布２，２の下縁部２ｂにそれぞれ下部ろ布芯金１３，１３を挿通して、図２に示すように、ろ布２，２の下縁部２ｂの下部ろ布芯金１３，１３をろ板１の裏面側に垂下した吊金具１０に係脱自在に係止してある。
図を省略するが、ろ板１上部の駆動輪７は駆動機に連動連結した駆動軸に嵌入して、正逆転可能に配設してある。
【００１０】
図３及び図４はろ布の正面図と側面図であって、ろ板１，１間に吊設する一対のろ布２，２の上縁部２ａを合着して袋部１４を形成し、合着した各ろ布２，２の下縁部２ｂにも袋部１５，１５を形成してある。ろ布２，２の上縁部２ａと下縁部２ｂの袋部１４，１５に、図１に示す、上部ろ布芯金４と下部ろ布芯金１３，１３を挿通してある。
図３及び図４に示すように、閉板時にろ板１の周縁部に当接する部位のろ布２の表裏面と、ろ布２，２の上部に挟持する給液板３の当接面に、貼着剤として合成樹脂剤を塗布し、含浸させてろ布２，２の周縁部に目止め１６，１７を形成してある。
図３に示すように、合成樹脂剤を塗布するろ布２の下縁部２ｂは、目止め１７と目止め１７のない筋状部１８を交互に形成したストライプ構造１９としてあり、合成樹脂剤を塗布しない筋状部１８をろ板１の側縁部の外方まで延設して側端部を開放してある。
目止め１７の幅を短くし、筋状部１８を設けたことにより、ろ布２の柔軟性と屈曲性が増加して、目止め１７を施した下縁部２ｂがリターンロール１２を通過する時に、リターンロール１２の半径とほぼ同等の曲率半径を形成できるため、ろ布走行負荷の上昇を抑制すると共に、構成機器の干渉を防止できる。ろ布２が収縮しても複数の目止め１７の何れかがろ板１の下縁部に当接し、シール効果を発揮する。
【００１１】
この発明の実施例では、合成樹脂剤を塗布する目止め１７の幅を２０ｍｍとし、上下の目止め１７，１７の間に合成樹脂剤を塗布しない２０ｍｍの筋状部１８を形成してある。
図５はろ布の下縁部にストライプ構造の目止めを施した他の実施例の要部側面図であって、ろ布２の下縁部２ｂに合成樹脂剤を塗布する目止め幅は、５０ｍｍ〜１００ｍｍとしてあり、大型のフイルタープレスにあっては、複数の目止め１７・・・と筋状部１８・・・を交互に形成して、多層状のストライプ構造１９ａとしてある。なお、ろ布２に塗布するストライプ構造１９，１９ａの目止め１７の幅及び層数は適宜選択出来るものである。
図６は他の実施例であって、ろ布２の側縁部の目止め１６と下縁部２ｂのストライプ構造２２を形成している目止め１７を側縁部で連通させて、内部に目止め２１のない筋状部２０を有する筋枠状の目止め２１を形成しても良いもので、ろ布２が使用により収縮してもシール性を高めることができ、ろ布２側縁部からの漏出防止が可能となる。
図７はろ布の下縁部がリターンロール１２を通過する時の概念図であって、ろ布２の下縁部２ｂがリターンロール１２を通過する時に、ろ布２の下縁部２ｂに合成樹脂を塗布するストライプ構造１９，１９ａ，２２の目止め１７，２１により、ろ布２の下縁部２ｂの柔軟性と屈曲性を発揮して円滑にろ布走行が行なえる。ケーキ排出時のろ布走行負荷の上昇を軽減でき、負荷検知も安定して行える。ろ布２の上縁部２ａと、ろ布２の下縁部２ｂが交差する時にも、ろ布２の下縁部２ｂが柔軟性と屈曲性を発揮して、リターンロール１２の前後でろ布２が広がることがなく、ろ布２，２の上縁部２ａの上部ろ布芯金４と、下縁部２ｂの下部ろ布芯金１３，１３の接触を回避できる。上部ろ布芯金４と下部ろ布芯金１３の衝突による歪みや、ろ布２の損傷を防止して、円滑にろ布走行が行える。
【産業上の利用可能性】
【００１２】
この発明に係るろ布走行型フイルタープレス用ろ布は、ろ布の周縁部に合成樹脂を塗布し、ろ布の下縁部に塗布する目止めをストライプ構造としたもので、ストライプ構造の目止めがろ布の柔軟性と屈曲性を発揮して、ろ布走行負荷の上昇を軽減し、負荷検知が安定して行える。従って、この発明は、上水汚泥、下水汚泥、または、産業排水汚泥等を大容量の汚泥等を処理するろ布走行型フイルタープレス用ろ布に適用でき、特に大型のフイルタープレスに最適となる。
【符号の説明】
【００１３】
１  ろ板
２  ろ布
２ａ  上縁部
２ｂ  下縁部
７    駆動輪
１２  リターンロール
１６、１７、２１  目止め
１８、２０  筋状部
１９、１９ａ、２２  ストライプ構造
【図１】
2011136318.tif 000003
【図２】
2011136318.tif 000004
【図３】
2011136318.tif 000005
【図４】
2011136318.tif 000006
【図５】
2011136318.tif 000007
【図６】
2011136318.tif 000008
【図７】
2011136318.tif 000009
【図８】
2011136318.tif 000010